(57)【特許請求の範囲】
【請求項１】
足の爪先に装着するための外反母趾予防具であって、
中央の中実部分をなす、足の拇指と食指との間に差し入れるための指間スペーサ部と、
前記指間スペーサ部の一方側に該指間スペーサ部に連なって水平に設けられた、幅１２ｍｍを超える帯状環である、拇指を通すための拇指挿通部と、
前記指間スペーサ部の一方側と反対の他方側に該指間スペーサ部に連なって水平に設けられた、幅１０ｍｍを超える帯状環である、食指を通すための食指挿通部とを備えてなり、
前記指間スペーサ部の上面及び下面、前記拇指挿通部の外周面、並びに前記食指挿通部の外周面は、連続する一の面を形成してなり、
そして、前記指間スペーサ部は、拇指と食指が一定の間隔に保たれた姿勢となるように、その中央部位の水平断面が略扁平楕円断面をなしそして指股の形状に沿って適合するものとなっており、かつ、予防具全体がＪＩＳ−Ｋ６３０１に従うＪＩＳ  Ａ硬度が５°乃至１５°であるエラストマーからなることを特徴とする、外反母趾予防具。
【請求項２】
足の内側における拇指付け根部位を当て覆うように、前記拇指挿通部より延長して設けられた付け根カバー部とを備えてなることを特徴とする、請求項１に記載の外反母趾予防具。
【発明の詳細な説明】
【技術分野】
【０００１】
本発明は、外反母趾を予防するための外反母趾予防具に関する。
【背景技術】
【０００２】
近年、生活習慣の変化に伴い、靴を履いている時間が増え、特に、ハイヒールやパンプスなどの先細の靴を頻繁に履用した結果、拇指が外側（小指側）に曲がるところの所謂、外反母趾を患う人が増加している。
【０００３】
従来、外反母趾を予防するために、例えば、
足の拇指と食指の間に挟まれる指間隙保持部１２と、
該指間隙保持部１２に連なって環状に形成された、拇指を差し通す拇指定位部１３と、さらに、
該拇指定位部の反対側の該側面に連なって帯環状に形成された、食指を通す食指定位部１４とを備えてなることを特徴とする、外反母趾予防具２０が考案されている。（特許文献１参照）。
【先行技術文献】
【特許文献】
【０００４】
【特許文献１】登録実用新案第３１０５６４７号公報
【０００５】
この従来の外反母趾予防具は、拇指６を拇指定位部１３に、食指７を食指定位部１４にそれぞれ差し通し、指間隙保持部１２を拇指６と食指７の間の付け根まで差し込むことにより使用される。このとき、指間隙保持部１２によって、拇指６と食指７の間を広げ、必要な幅の指間隔を保つことにより外反母趾を予防するというものである。
【発明の開示】
【発明が解決しようとする課題】
【０００６】
しかしながら、上記の外反母趾予防具は、指間隙保持部１２が略円柱体であり、足の指に装着中において指間隙保持部に当たる指部分が痛くなったり、靴の種類、爪先形状に依っては靴の爪先内部でのおさまりが悪く、ずれることがあり、位置ずれ及び装着感の点において改良の余地があるものであった。
本発明はこの点を改良すべくなされたものであって、位置ずれを起こしにくく、装着感が良好であり、更には靴の中で装着しても足に痛みを生じさせない外反母趾予防具を提供することを目的とするものである。
【課題を解決するための手段】
【０００７】
すなわち本発明は、足の爪先に装着するための外反母趾予防具であって、
中央部位の水平断面が略扁平楕円断面をなす、足の拇指と食指との間に差し入れるための指間スペーサ部と、
幅１２ｍｍを超える帯状環であって、前記指間スペーサ部の一方側に、該指間スペーサ部に連なって水平に設けられた拇指挿通部と、
幅１０ｍｍを超える帯状環であって、前記指間スペーサ部の一方側と反対の他方側に、該指間スペーサ部に連なって水平に設けられた食指挿通部とを備えてなり、
そして、前記指間スペーサ部の上面及び下面、前記食指挿通部の外周面、並びに前記拇指挿通部の外周面は、連続する一つの面を形成してなること、並びに、予防具全体が、ＪＩＳ−Ｋ６３０１に従うＪＩＳ  Ａ硬度が５°乃至１５°であるエラストマーからなることを特徴とする、外反母趾予防具に関する。
また、本発明の好ましい態様は更に足の内側における拇指付け根部位を当て覆うように、前記拇指挿通部より延長して設けられた付け根カバー部とを備えてなることを特徴とする、上記外反母趾予防具に関する。
【発明の効果】
【０００８】
本発明によれば、位置ずれを起こしにくく、装着感が良好であり、更には靴の中で装着しても足に痛みを生じさせない外反母趾予防具を提供することができる。
【図面の簡単な説明】
【０００９】
【図１】本発明の実施例１の外反母趾予防具１の斜視図である。
【図２】（ａ）は実施例１の外反母趾予防具１の正面図であり、（ｂ）は図２（ａ）中のＡ−Ａ’線における断面図である。
【図３】実施例１の外反母趾予防具１の使用例を示す図である。
【図４】実施例２の外反母趾予防具１０の使用例を示す図である。
【図５】従来の外反母趾予防具を示す図である。
【発明を実施するための形態】
【００１０】
以下、図面を参照しながら本発明をさらに説明する。
〔実施例１〕
図１に示すように、本発明の外反母趾予防具１は、
中央の中実部分をなす指間スペーサ部２と、指間スペーサ部２の一方側に、指間スペーサ部２に連なって水平に設けられた帯環状の拇指挿通部３と
指間スペーサ部２の一方側と反対の他方側に、指間スペーサ部２に連なって水平に設けられた帯環状の食指挿通部４とを備えてなる。
指間スペーサ部２は図２に示すように、その中央部位の水平断面（Ａ−Ａ’断面）２Ｃが略扁平楕円断面をなすものであり、また、拇指挿通部３は、その幅Ｗａが１２ｍｍを超える帯状環であり、食指挿通部４はその幅Ｗｂが１０ｍｍを超える帯状環である。
また、図１に示すように、指間スペーサ部２の上面２Ａ及び下面２Ｂ、拇指挿通部３の外周面３Ａ、並びに食指挿通部４の外周面４Ａは、連続する一つの面を形成してなる。
外反母趾予防具１全体は、ＪＩＳ−Ｋ６３０１に従うＪＩＳ  Ａ硬度が５°乃至１５°、とりわけ５°であるエラストマーからなる。
【００１１】
図３に示すように外反母趾予防具１は拇指挿通部３に拇指６を、食指挿通部４に食指７を通すことで使用される。
このとき、拇指６と食指７の間の指間には指間スペーサ部２が挟まれる。これにより、拇指６と食指７は一定の間隔を保った姿勢となり、外反母趾の発症又は進行を抑制することができる。
特に本発明の予防具１にあっては、指間スペーサ部２はその中央部位の水平断面２Ｃの形状が図２に示すように略扁平楕円形であることから水平断面２Ｃが略円形である場合に比べ、指間スペーサ部２が指股の形状に沿って適合することができるので両指の装着感が大変よい。とりわけ、本発明の外反母趾予防具１は下記のとおり低硬度のエラストマーからなるので、個人個人により形状が異なる指股の表面に、指間スペーサ部２を密接にかつ柔らかくフィットさせることができる。従って、本発明の予防具１は大変指当りが良いものであり、長時間の使用により痛みや不快さを感じさせることも殆ど無い。
【００１２】
また、図２に示すように、外反拇指予防具１の拇指挿通部３は、その幅Ｗａが１２ｍｍを超える帯状環であり、食指挿通部４はその幅Ｗｂが１０ｍｍを超える帯状環である。拇指挿通部３及び食指挿通部４が丸紐形状でなく幅広の帯状環であることから、装着時に拇指挿通部３及び食指挿通部４がそれぞれ拇指６及び食指７に食い込むことは殆ど無く、拇指６及び食指７に食い込みによる痛みを生じさせにくい。
【００１３】
図１及び図２に示すように、外反拇指予防具１は指間スペーサ部２の上面２Ａ及び下面２Ｂ、前記拇指挿通部の外周面３Ａ並びに食指挿通部の外周面４Ａが、連続する一つの面を形成してなる。したがって、外反拇指予防具１を足に装着して靴を履いた場合でも、靴内部、特に爪先内部でのおさまりが良く、外反拇指予防具１が装着部位からずれてしまうことが少ない。
【００１４】
さらに、外反母趾予防具１全体は、ＪＩＳ−Ｋ６３０１に従うＪＩＳ  Ａ硬度が５°乃至１５°、望ましくは５°乃至１０°、特に望ましくは５°乃至７°のエラストマーからなり、非常に柔軟である。そのため、外反母趾予防具１は足の指に柔らかく接し、装着感を一層良くする効果がある。
またこのように柔軟であることから、足の指を動かした場合でもその動きに追従するので外反母趾予防具１の位置ずれをより効果的に防ぐ効果もある。
【００１５】
〔実施例２〕
実施例２の外反母趾予防具１０は、図４に示すように、外反母趾の症状部位である足の内側における拇指付け根部位８を当て覆うように、付け根カバー部５が拇指挿通部３より延長して設けられている他は、実施例１と同様の構成からなる。
付け根カバー部５は、痛みのある拇指付け根部位８を当て覆うので、靴を履いた際に拇指付け根部位８が靴に当たって生じる痛みを防ぐ効果がある。
【符号の説明】
【００１６】
１、１０   外反母趾予防具
２         指間スペーサ部
２Ａ       上面
２Ｂ       下面
２Ｃ       水平断面
３         拇指挿通部
３Ａ       外周面
Ｗａ       幅
４         食指挿通部
４Ａ       外周面
Ｗｂ       幅
５         付け根カバー部
６         拇指
７         食指
８         拇指付け根部位
【図１】
0005565665.tif 000002
【図２】
0005565665.tif 000003
【図３】
0005565665.tif 000004
【図４】
0005565665.tif 000005
【図５】
0005565665.tif 000006